(57)【要約】      （修正有）【課題】小さな表示領域であっても大量の画像の中から所望する画像データを簡単に見付け出すことができる印刷装置を提供する。【解決手段】２００６年にカーソル位置が移動すると、２００６年に含まれる日付を撮影日付とするイベントアイコンが、イベントアイコンＤＢから抽出され、その抽出されたイベントアイコンの少なくとも一部（黒塗逆三角、白塗星形、黒塗円、音符、白塗三角、黒塗四角）が、ＬＣＤ４１の幅方向に「２００６年」と同一直線上に並んで表示される。【選択図】図１１
2008187693.tif 000002
【特許請求の範囲】
【請求項１】
印刷装置において、
表示手段と、
複数の撮影日付とその撮影日付に行われるイベントを示すアイコンとを対応付けて記憶するイベントアイコン記憶手段と、
カレンダーに沿って連続する二日間以上の期間に含まれる撮影日付に対応するアイコンを前記イベントアイコン記憶手段から抽出する抽出手段と、
前記表示手段に、期間それぞれを示す期間名は時間軸に並べ、各期間を示す期間名とその期間に対応するアイコンは前記期間名の並び方向と交わる方向に並べて表示させる表示制御手段と、
前記表示手段に表示した、期間名のいずれかを選択する選択制御手段と、
選択された期間名で示される期間に撮影された画像を印刷する印刷手段とを備えていることを特徴とする印刷装置。
【請求項２】
前記表示手段に、複数の期間からなる長期間それぞれを示す長期間名が前記期間名として時間軸に並べて表示されていることを条件として、
前記抽出手段は、前記選択制御手段によって選択された期間名で示される長期間をなすそれぞれの期間に含まれる撮影日付に対応するアイコンを抽出し、
前記表示制御手段は、選択された長期間をなすそれぞれの期間を示す期間名は時間軸に並べ、各期間を示す期間名とその期間に対応するアイコンは前記期間名の並び方向と交わる方向に並べて表示させることを特徴とする請求項１に記載の印刷装置。
【請求項３】
前記印刷手段は、選択された期間名で示される期間の撮影日付または保存日付が付加された画像ファイルに基づいた画像を、選択された期間名で示される期間に撮影された画像として印刷することを特徴とする請求項１又は２に記載の印刷装置。
【請求項４】
前記長期間は年であり、長期間をなすそれぞれの期間は月であることを特徴とする請求項２又は３に記載の印刷装置。
【請求項５】
前記表示制御手段は、長期間をなすそれぞれの期間を示す期間名は時間軸に並べ、各期間を示す期間名とその期間に対応するアイコンのうち所定数までのアイコンを前記期間名の並び方向と交わる方向に並べて表示させる第１制御と、長期間をなすそれぞれの期間のうちいずれか選択された期間に対応するアイコンすべてを表示する第２制御とを選択的に実行することを特徴とする請求項２から４のいずれかに記載の印刷装置。
【請求項６】
前記表示制御手段は、期間それぞれを示す期間名は時間軸に並べ、各期間を示す期間名とその期間に対応するアイコンは前記期間名の並び方向と交わる方向に並べて表示させる第１制御と、期間のうちいずれか選択された期間に含まれる全部の日にち名を並べて表示させると共に、全部の日にち名に隣接または重ねて、日にち名がそれぞれ示す撮影日付に対応するアイコンを表示させることを特徴とする請求項１から５のいずれかに記載の印刷装置。
【請求項７】
可搬型記憶装置を接続する接続部を備え、
前記接続部に可搬型記憶装置が接続されたことを条件として、
接続された可搬型記憶装置に記憶されている画像ファイルに付加されている撮影日付または保存日付を、前記画像ファイルに含まれる画像の撮影日付として取得する取得手段と、
その取得手段によって取得した撮影日付とその撮影日付に行われるイベントを示すアイコンとが対応付けて前記イベントアイコン記憶手段に記憶されているかを判断する判断手段とを備え、
前記表示制御手段は、前記判断手段によって前記撮影日付とその撮影日付に行われるイベントを示すアイコンとが対応付けて記憶されていないと判断したことを条件として、前記撮影日付とその撮影日付に行われるイベントを示すアイコンとを対応付けて前記イベント記憶手段に記憶するための指示入力を要求する表示を前記表示手段に表示させることを特徴とする請求項１から６のいずれかに記載の印刷装置。
【発明の詳細な説明】
【技術分野】
【０００１】
本発明は印刷装置に関し、特に、小さな表示領域であっても大量の画像の中から所望する画像を簡単に見付け出すことができる印刷装置に関するものである。
【背景技術】
【０００２】
従来より、デジタルカメラやメディアカードに記憶されている画像を読込み、その画像に付加されている日付情報に基づいて、日付順にサムネイル画像をＬＣＤ等の表示装置に表示させる技術が知られている。この技術に関連し、次の特許文献１には、ディジタルカメラ１と接続されたパーソナルコンピュータのディスプレイ５９を、ツリーエリア１０１と、サムネイルエリア１０２とに分け、ツリーエリア１０１には複数の年名を１列に表示させ、サムネイルエリア１０２にはツリーエリア１０１で選択された年のサムネイル画像の一覧を表示させる技術が記載されている。
【特許文献１】特開２００６−８１１２９号公報（段落第００５６乃至０００６２、図４等）
【発明の開示】
【発明が解決しようとする課題】
【０００３】
しかしながら、上述した特許文献１に記載されている技術では、サムネイルエリア１０２には、選択した年のサムネイル画像の一覧を表示させるため、その年に撮影された画像が大量にある場合には、所望する画像を見付け出すのに手間が掛るという問題点があった。
【０００４】
また、特許文献１に記載されているように、サムネイル画像を表示する表示装置がパーソナルコンピュータのディスプレイ５９であれば、一度に、大量のサムネイル画像を表示することも可能である。しかし、例えば、デジタルカメラやメディアカードとのデータ通信機能や印刷機能を備えた複合機に搭載されている表示装置は、かかるパーソナルコンピュータのディスプレイ５９と比較して表示領域が小さく、一度に、大量のサムネイル画像を表示することができず、所望する画像を見付け出すのに手間が掛るという問題点があった。
【０００５】
本発明は上述した問題点を解決するためになされたものであり、小さな表示領域であっても大量の画像の中から所望する画像データを簡単に見付け出すことができる印刷装置を提供することを目的としている。
【課題を解決するための手段】
【０００６】
この目的を達成するために、請求項１記載の印刷装置は、表示手段と、複数の撮影日付とその撮影日付に行われるイベントを示すアイコンとを対応付けて記憶するイベントアイコン記憶手段と、カレンダーに沿って連続する二日間以上の期間に含まれる撮影日付に対応するアイコンを前記イベントアイコン記憶手段から抽出する抽出手段と、前記表示手段に、期間それぞれを示す期間名は時間軸に並べ、各期間を示す期間名とその期間に対応するアイコンは前記期間名の並び方向と交わる方向に並べて表示させる表示制御手段と、前記表示手段に表示した、期間名のいずれかを選択する選択制御手段と、選択された期間名で示される期間に撮影された画像を印刷する印刷手段とを備えている。
【０００７】
請求項２記載の印刷装置は、請求項１に記載の印刷装置において、前記表示手段に、複数の期間からなる長期間それぞれを示す長期間名が前記期間名として時間軸に並べて表示されていることを条件として、前記抽出手段は、前記選択制御手段によって選択された期間名で示される長期間をなすそれぞれの期間に含まれる撮影日付に対応するアイコンを抽出し、前記表示制御手段は、選択された長期間をなすそれぞれの期間を示す期間名は時間軸に並べ、各期間を示す期間名とその期間に対応するアイコンは前記期間名の並び方向と交わる方向に並べて表示させる。
【０００８】
請求項３記載の印刷装置は、請求項１又は２に記載の印刷装置において、前記印刷手段は、選択された期間名で示される期間の撮影日付または保存日付が付加された画像ファイルに基づいた画像を、選択された期間名で示される期間に撮影された画像として印刷する。
【０００９】
請求項４記載の印刷装置は、請求項２又は３に記載の印刷装置において、前記長期間は年であり、長期間をなすそれぞれの期間は月である。
【００１０】
請求項５記載の印刷装置は、請求項２から４のいずれかに記載の印刷装置において、前記表示制御手段は、長期間をなすそれぞれの期間を示す期間名は時間軸に並べ、各期間を示す期間名とその期間に対応するアイコンのうち所定数までのアイコンを前記期間名の並び方向と交わる方向に並べて表示させる第１制御と、長期間をなすそれぞれの期間のうちいずれか選択された期間に対応するアイコンすべてを表示する第２制御とを選択的に実行する。
【００１１】
請求項６記載の印刷装置は、請求項１から５のいずれかに記載の印刷装置において、前記表示制御手段は、期間それぞれを示す期間名は時間軸に並べ、各期間を示す期間名とその期間に対応するアイコンは前記期間名の並び方向と交わる方向に並べて表示させる第１制御と、期間のうちいずれか選択された期間に含まれる全部の日にち名を並べて表示させると共に、全部の日にち名に隣接または重ねて、日にち名がそれぞれ示す撮影日付に対応するアイコンを表示させる。
【００１２】
請求項７記載の印刷装置は、請求項１から６のいずれかに記載の印刷装置において、可搬型記憶装置を接続する接続部を備え、前記接続部に可搬型記憶装置が接続されたことを条件として、接続された可搬型記憶装置に記憶されている画像ファイルに付加されている撮影日付または保存日付を、前記画像ファイルに含まれる画像の撮影日付として取得する取得手段と、その取得手段によって取得した撮影日付とその撮影日付に行われるイベントを示すアイコンとが対応付けて前記イベントアイコン記憶手段に記憶されているかを判断する判断手段とを備え、前記表示制御手段は、前記判断手段によって前記撮影日付とその撮影日付に行われるイベントを示すアイコンとが対応付けて記憶されていないと判断したことを条件として、前記撮影日付とその撮影日付に行われるイベントを示すアイコンとを対応付けて前記イベント記憶手段に記憶するための指示入力を要求する表示を前記表示手段に表示させる。
【発明の効果】
【００１３】
請求項１記載の印刷装置によれば、撮影された画像を印刷する場合、表示手段には、期間それぞれを示す期間名は時間軸に並べられて表示されるので、小さな表示領域であっても長期間を表示させることができる。また、同じ目的で撮影された大量の画像を一つのイベントに関連する画像としてまとめ、一つのアイコンとして表現するので、小さな表示領域であっても大量の画像に関する情報を表示させることができる。更に、各期間を示す期間名とその期間に対応するアイコンは前記期間名の並び方向と交わる方向に並べて表示されるので、各期間とアイコンとを一見しただけで対応付けることができる。よって、小さな表示領域であっても大量の画像の中から所望する画像を簡単に見付け出すことができるという効果がある。
【００１４】
請求項２記載の印刷装置によれば、請求項１に記載の印刷装置の奏する効果に加え、まずは、選択した長期間とアイコンとを表示するフォーマットと同じフォーマットで、その選択した長期間をなすそれぞれの期間とアイコンとを表示させ、且つ、選択した長期間と対応付けて表示されたアイコンと同じアイコンが、選択した長期間をなすそれぞれの期間のいずれかと対応つけて表示されるので、長期間の選択、および、選択した長期間をなすそれぞれの期間の選択がし易く、扱いやすいという効果がある。
【００１５】
請求項３記載の印刷装置によれば、請求項１又は２に記載の印刷装置の奏する効果に加え、画像ファイルに付加されている撮影日付または保存日付を利用して、選択された期間名で示される期間に撮影された画像かを抽出するので、画像の抽出作業を簡単にすることができるという効果がある。
【００１６】
請求項４記載の印刷装置によれば、請求項２又は３に記載の印刷装置の奏する効果に加え、長期間は年であり、長期間をなすそれぞれの期間は月であるので、ユーザーにとって馴染み深く、使いやすいという効果がある。
【００１７】
請求項５記載の印刷装置によれば、請求項２から４のいずれかに記載の印刷装置の奏する効果に加え、長期間をなすそれぞれの期間を示す期間名とその期間に対応するアイコンのうち所定数までのアイコンを前記期間名の並び方向と交わる方向に並べて表示させる場合と、長期間をなすそれぞれの期間のうちいずれか選択された期間に対応するアイコンすべてを表示する場合とを選択的に実行するので、全部のアイコンは表示されなくてもいいので、長期間をなすそれぞれの期間のうち、複数の期間内でアイコンを確認した場合には前者、長期間をなすそれぞれの期間の何れかの一つの期間に、どんなアイコンがあるかを確認した場合には後者を選択することで、ユーザーの使用目的にあった表示をすることができるという効果がある。
【００１８】
請求項６記載の印刷装置によれば、請求項１から５のいずれかに記載の印刷装置の奏する効果に加え、各期間を示す期間名とその期間に対応するアイコンは前記期間名の並び方向と交わる方向に並べて表示させ、その後、各期間のうちいずれか選択された期間に含まれる全部の日にち名を並べて表示させると共に、全部の日にち名に隣接または重ねて、日にち名がそれぞれ示す撮影日付に対応するアイコンを表示させる。よって、全部の日にちの中で、日にち名がそれぞれ示す撮影日付に対応するアイコンを、日にち単位で確認することができるという効果がある。
【００１９】
請求項７記載の印刷装置によれば、請求項１から６のいずれかに記載の印刷装置の奏する効果に加え、接続された可搬型記憶装置に記憶されている画像ファイルに付加されている撮影日付または保存日付を、画像ファイルに含まれる画像の撮影日付として取得し、その取得した撮影日付とその撮影日付に行われるイベントを示すアイコンとが対応付けて記憶されているかを判断した結果、前記撮影日付とその撮影日付に行われるイベントを示すアイコンとが対応付けて記憶されていないと判断した場合には、前記撮影日付とその撮影日付に行われるイベントを示すアイコンとを対応付けて記憶するための指示入力を要求する表示が表示される。よって、未登録の撮影日付に対して、その撮影日付に行われるイベントを示すアイコンを対応付けて記憶することを促進させることができるという効果がある。
【発明を実施するための最良の形態】
【００２０】
以下、本発明の好ましい実施の形態について、添付図面を参照して説明する。図１は、複合機１の外観構成を示す斜視図である。複合機１は、印刷しようとする大量の画像の中から所望する画像を簡単に見付け出すことができるような表示を、ＬＣＤ４１に表示させることができる本発明の印刷装置としての装置である。複合機１は、下部に設けられたプリンタ２と、上部に設けられたスキャナ３と、スキャナ３の正面側に設けられた操作パネル４とを一体的に備えたＭＦＤ（Ｍｕｌｔｉ  Ｆｕｎｃｔｉｏｎ  Ｄｅｖｉｃｅ）であり、スキャナ機能、コピー機能、ファクシミリ機能を備えている。
【００２１】
その他にも、複合機１は、ＵＳＢメモリ、デジタルカメラ、パーソナルコンピュータ等の外部装置と接続されて外部装置から受け取ったデータを記録用紙に記録したりする機能、また、外部装置から受け取ったデータを操作パネル４上の液晶ディスプレイ（ＬＣＤ：Ｌｉｑｕｉｄ  Ｃｒｙｓｔａｌ  Ｄｉｓｐｌａｙ）４１に表示する機能をも備えている。
【００２２】
スキャナ３は、ＦＢＳ（Ｆｌａｔｂｅｄ  Ｓｃａｎｎｅｒ）として機能する原稿読取台６と、原稿読取台６に対する原稿カバー８とを備える。原稿カバー８は、自動原稿搬送機構（ＡＤＦ：Ａｕｔｏ  Ｄｏｃｕｍｅｎｔ  Ｆｅｅｄｅｒ、以下「ＡＤＦ」という。）７を備えている。原稿読取台６の上面にはプラテンガラスが配設されている。原稿読取台６の内部には、図示しない画像読取ユニットが内蔵されている。このように構成されたスキャナ３では、ＦＢＳあるいはＡＤＦを用いて原稿の画像読取りが行われる。
【００２３】
ＡＤＦ７は、原稿トレイ９から原稿排出トレイ１０へ原稿搬送路を通じて原稿Ｇを搬送するものである。ＡＤＦ７による原稿Ｇの搬送過程において、原稿Ｇが原稿読取台６上の読取面を通過され、読取面の下方に待機する画像読取ユニットによって原稿Ｇの画像が読み取られる。このようなＡＤＦ７による画像読取りは、原稿カバー８が原稿読取台６に対して閉じられた状態で行われる。
【００２４】
プリンタ２は、スキャナ３で読取られた画像データ或いは外部から入力された画像データに基づいて、記録用紙上に画像を記録する。プリンタ２は、所謂インクジェット方式の画像記録装置（インクジェット記録装置）である。上記インクジェット方式はプリンタ２による画像記録方式の単なる一例である。プリンタ２による画像記録方式として、電子写真方式や熱転写方式などの種々の画像記録方式を採用することができるのはもちろんである。
【００２５】
複合機１の正面側、換言すれば、プリンタ２の正面側には開口１１が形成されており、その開口１１の内部には、給紙トレイ１４と、その給紙トレイ１４の上段に排紙トレイ１５とが内包されている。
【００２６】
また、複合機１の正面側には、操作パネル４が設けられている。操作パネル４は、プリンタ２やスキャナ３を操作するためのものであり、各種操作キー４０（４０ａ、４０ｂ、４０ｃ、４０ｄ、４０ｅ）とＬＣＤ４１とが備えられている。
【００２７】
各種操作キー４０（４０ａ、４０ｂ、４０ｃ、４０ｄ）のうち、操作キー４０ａは、複合機１にメニュー画面（図４等参照）をＬＣＤ４１に表示させるためのメニュー画面キー４０ａである。操作キー４０ｂは、数字、記号等の入力をするテンキー４０ｂである。操作キー４０ｃは、ＬＣＤ４１に表示されるカーソルの移動を指示する方向キー４０ｃである。操作キー４０ｄは、例えば、カーソルが示す情報の選択を指示する選択キー４０ｄである。操作キー４０ｅは、メニュー画面の終了を指示する終了キー４０ｅである。
【００２８】
ＬＣＤ４１は、矢印Ａ方向を長手方向（幅方向）とする矩形状に形成されており、幅方向を横とした場合の縦横比は３対８で構成されている。より具体的には、縦横比が３対４である矩形状の独立した２つのＬＣＤを矢印Ａ方向に隣接させて一体的に構成されている。但し、図中では、この縮尺は無視して図示している。
【００２９】
複合機１に所定の指令が入力されると、その入力された情報に基づいて該複合機１の動作が制御部２０（図２参照）によって制御される。なお、複合機１は、操作パネル４から入力された指令のほか、コンピュータからプリンタドライバやスキャナドライバ等を介して送信される指令に基づいて動作するように構成されている。
【００３０】
操作パネル４の下方であって上記開口１１の上方には、接続パネル７０が設けられている。この接続パネル７０には、その左端側にＵＳＢ端子７１が配設されている。ＵＳＢ端子７１は、外部機器とＵＳＢ接続することにより該外部機器と本複合機１とを通信可能に接続するコネクタ端子である。
【００３１】
接続パネル７０の右端側にはスロット部７２が配設されている。スロット部７２は図示しない可搬型のメディアカード（カード型メモリ）を装填可能な複数のカードスロットが設けられている。カードスロットにメディアカードが装填され、該装填されたメディアカードから画像データが後述の制御部２０により読み出されると、その読み出された画像データや該画像データに関する情報が制御部２０（図２参照）によってＬＣＤ４１に表示される。或いは、選択された任意の画像がプリンタ２において記録用紙に記録される。
【００３２】
図２を参照して、複合機１の動作を制御する制御部２０の概略構成について説明する。図２は、複合機１の制御部２０の概略構成を示すブロック図である。制御部２０は、プリンタ２、スキャナ３及び操作パネル４を含む複合機１の動作を統括的に制御するものである。
【００３３】
制御部２０は、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２４を主とするマイクロコンピュータとして構成されており、バス２５を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２６に接続されている。  
ＣＰＵ２１は、複合機１を総括的に制御する中央演算処理であり、ＲＯＭ２２に記憶されているプログラムに沿って動作する。ＲＯＭ２２には、複合機１の各種動作を制御するためのプログラムが格納されている。例えば、メディアプリントプログラム２２ａが、図４乃至１０に示すメディアプリント処理を実行させるためのプログラムとして記憶されている。ＲＡＭ２３は、ＣＰＵ２１が上記プログラムを実行する際に用いる各種データを一時的に記録する記憶領域又は作業領域として使用される。
【００３４】
ＥＥＰＲＯＭ２４は、イベントアイコンデータベース２４ａ（以下、「イベントアイコンＤＢ２４ａ」と称す）、指定日付メモリ２４ｂと、カレンダーメモリ２４ｃと、表示設定メモリ２４ｄ、チェックボックスメモリ２４ｅとを備えている。
【００３５】
イベントアイコンＤＢ２４ａには、撮影日付と、その撮影日付に行われるイベントを示すアイコンとが対応つけて記憶されている。ここで、図３を参照して、このイベントアイコンＤＢ２４ａについて、より具体的に説明する。
【００３６】
図３は、イベントアイコンＤＢ２４ａに記憶されている情報を模式的に示すテーブルである。図３に示す通り、イベントアイコンＤＢ２４ａには、最左欄に撮影日付が日付順に記憶されている。この撮影日付は、例えば、画像ファイルが格納されているメディアカードがスロット部７２のカードスロットに挿入された場合に、その画像ファイルに含まれている各画像の撮影日付から取得され、記憶される。尚、この撮影日付は、かかる画像に付加されている撮影日付に限定されず、画像をファイルを保存した保存日付を撮影日付として取得しても良い。
【００３７】
また、この撮影日付の各々には、その撮影日付に行われるイベントを示すイベントアイコンが対応つけて記録されている。尚、図中では、このイベントアイコンを、左側から順番に、黒塗円、黒塗四角、黒塗星形、音符、二重丸、白塗星形、白塗三角、白塗四角、黒塗逆三角、黒塗三角、白塗三角、白塗円で示している。
【００３８】
例えば、２００６年１０月３日には、白塗星形のイベントアイコンが登録されていることを示す「Ｔ」（Ｔｒｕｅ）が記憶され、その他のアイコンは登録されていないことを示す「Ｆ」（Ｆａｌｓｅ）が記憶されている。
【００３９】
同様に、２００６年１０月１２日には、黒塗円と、音符と、白塗三角とのイベントアイコンが登録されていることを示す「Ｔ」（Ｔｒｕｅ）が記憶され、その他のアイコンは登録されていないことを示す「Ｆ」（Ｆａｌｓｅ）が記憶されている。
【００４０】
日付メモリ２４ｂには、指示された年を変数Ｙに、指示された月を変数Ｍに、指示された日にちを変数Ｄに代入して構成される所定の日付情報が記憶されている。カレンダーメモリ２４ｃには、年名一覧（２００年、２００１年、２００２年等の年名の一覧）、月名一覧（１月、２月、３月等の月名の一覧）、月単位のカレンダーを作成可能なカレンダー情報が記憶されている。
【００４１】
表示設定フラグ２４ｄは、後述する「選択画面（月）」を表示する場合に、図１１（ｂ）に示す「選択画面（月／イベントアイコン表示（年））」を表示するのか、あるいは、図１１（ｃ）に示す「選択画面（月／イベントアイコン表示（月））」を表示するのかを示すフラグであり、表示設定フラグ２４ｄが「ＯＮ」の場合には、図１１（ｂ）に示す「選択画面（月／イベントアイコン表示（年））」が表示され、「ＯＦＦ」の場合には、図１１（ｃ）に示す「選択画面（月／イベントアイコン表示（月））」を表示する。このフラグは、ユーザーによって、そのＯＮ／ＯＦＦが設定可能に構成されている。
【００４２】
ＡＳＩＣ２６は、ＣＰＵ２１からの指令に従い、プリンタ２、スキャナ３、操作パネル４、及びスロット部７２などの動作制御を行なう（例えば、プリンタ２を駆動するモータやインクジェット記録ヘッド、スキャナ３のＡＤＦ７を駆動するモータや画像読取ユニット等の動作を制御する）。プリンタ２、スキャナ３及びスロット部７２などは、公知の構成であるので詳細な説明は省略する。
【００４３】
また、ＡＳＩＣ２６には、複合機１に所望の指令を入力する操作キー４０を制御するパネルゲートアレイ２７（パネルＧＡ２７）、ＬＣＤ４１の画面表示を制御するＬＣＤコントローラ２８、コンピュータとパラレルケーブル又はＵＳＢケーブルを介してデータの送受信を行なうためのパラレルインタフェース２９（パラレルＩ／Ｆ２９）、ＵＳＢ端子７１、アンプ７を介してスピーカ７４、時計専用のチップであるＲＴＣ（Ｒｅａｌ  Ｔｉｍｅ  Ｃｌｏｃｋ  ）１８が接続されている。尚、ＲＴＣ１８には、電源が切られている間も起動できるように電池１８ａが接続されている。
【００４４】
さらに、ＡＳＩＣ２６には、ＮＣＵ（Ｎｅｔｗｏｒｋ  Ｃｏｎｔｒｏｌ  Ｕｎｉｔ）３１が接続され、そのＮＣＵにはモデム３２が接続されている。ＮＣＵ３１は回線制御を行うためのものであり、電話回線に接続されている。ＮＣＵ３１は、交換機から送信される呼出信号や各種信号を受信するものである。また、ＮＣＵ３１は操作キー４０の操作に応じた発信時のダイヤル信号を交換機へ送信したり、電話回線の閉結時において、アナログ音声信号の送受信などのデータ通信を行うものである。
【００４５】
モデム３２は、ＦＡＸデータや電子メールデータの変調および復調を実行するものである。また、モデム３２は、伝送制御用の各種手順信号を送受信するものである。ＦＡＸデータは、このＮＣＵ３１とモデム３２とによってファクシミリ手順に沿って送受信される。
【００４６】
次に、図４を参照して、メディアプリント処理について説明する。図４はメディアプリント処理を示すフローチャートである。このメディアプリント処理は、メディアカードに格納されている画像からユーザーが所望する画像を印刷するための処理であり、ＣＰＵ２１がメディアプリントプログラム２２ａに従って実行する処理である。
【００４７】
この処理では、スロット部７２のスロットにメディアカードが挿入されているかを判断し（Ｓ１）、メディアカードが挿入されている場合には（Ｓ１：Ｙｅｓ）、そのメディアカードに格納されている全画像の各々に付加されている撮影日付を取得する（Ｓ２）。尚、メディアカードが挿入されていない場合には（Ｓ１：Ｎｏ）、本処理を終了する。
【００４８】
次に、その取得した撮影日付の中で、イベントアイコンＤＢ２４ａに未登録の撮影日付があるかを判断する（Ｓ３）。未登録の撮影日付がなければ（Ｓ３：Ｎｏ）、ＲＴＣ１８から現在の年を取得し、日付メモリ２４ｂの変数Ｙに代入し（Ｓ４）、図５に示すＳ８からの処理に移行する。
【００４９】
一方、未登録の撮影日付があれば（Ｓ３：Ｙｅｓ）、ユーザーにイベントアイコンを登録するか否かを確認する（Ｓ５）。具体的には、「イベントアイコンを登録しますか？はい／いいえ」という表示をＬＣＤ４１に表示させる。そして、ユーザーが方向キー４０ｃや選択キー４０ｄを操作することで、ユーザーから「イベントアイコンを登録する」という選択があった場合には（Ｓ６：Ｙｅｓ）、未登録の撮影日付にイベントアイコンを登録するために、図１０に示すＳ６１からの処理に移行する。このように、イベントアイコンＤＢ２４ａに未登録の撮影日付が存在した場合、ユーザーに、その未登録の撮影日付に対してイベントアイコンを登録するように要求するので、イベントアイコンＤＢ２４ａへのイベントアイコンの登録を促進させることができる。尚、図１０に示すＳ６１からの処理については後述する。
【００５０】
一方、Ｓ６の処理において、「イベントアイコンを登録しない」という選択があった場合には（Ｓ６：Ｎｏ）、イベントアイコンＤＢ２４ａにイベントアイコンを「Ｆ」で初期化した未登録の撮影日付を登録し（Ｓ７）、上述したのと同様に、Ｓ４の処理に移行し、図５に示すＳ８からの処理に移行する。この処理により、イベントアイコンＤＢ２４ａに未登録であった撮影日付を登録することができる。
【００５１】
図５は、図４に示すＳ４の処理に引き続いて実行されるＳ８からの処理を示すフローチャートである。図４に示すＳ４の処理において、現在の年を日付メモリ２４ｂの変数Ｙに代入すると、「選択画面（年）」の表示を開始する（Ｓ８）。
【００５２】
ここで、図１１（ａ）を参照して、「選択画面（年）」の表示例について説明する。図１１（ａ）は、「選択画面（年）」の表示例を示す図である。この「選択画面（年）」は、年単位で、その年に含まれる日付を撮影日付とするイベントアイコンをイベントアイコンＤＢ２４ａから抽出し、各年名と、その年名に対応したイベントアイコンとを同一直線状に並べて表示させる画面である。
【００５３】
図１１（ａ）に示す通り、「選択画面（年）」は、ＬＣＤ４１に表示され、図中左側に年名（例えば、２００４年、２００５年、２００６年、２００７年）が、ＬＣＤ４１の高さ方向（時間軸）に一列に並べて表示される。また、この年名の列を挟むように上方スクロール矢印Ｕと、下方スクロール矢印Ｄとが表示される。上方スクロール矢印Ｕにカーソルを移動させ、選択キー４０ｄを押下すると、２００４年から順番に画面から外れ、下方から２００８年から順番に表示される。反対に、下方スクロール矢印Ｄにカーソルを移動させ、選択キー４０ｄを押下すると、２００７年から順番に画面から外れ、上方から２００３年から順番に表示される。このように、年名を表示させるので、複合機１に搭載される小さなＬＣＤ４１の表示領域であっても長期間を表示させることができる。
【００５４】
また、年名の列の隣には、各年毎に対応させて、各年に含まれる日付を撮影日付とする画像の合計枚数が表示される。この表示により、ユーザーは、各年毎の合計枚数を一見して把握することができる。
【００５５】
更に、表示されている年名列の中から所定の年名に、カーソル位置を移動させると、そのカーソル位置に示される年名に含まれる日付を撮影日付とするイベントアイコンが、イベントアイコンＤＢ２４ａから抽出され、その年名に対応させてＬＣＤ４１の幅方向に同一直線上に並んで表示される。
【００５６】
例えば、２００６年にカーソル位置が移動すると、２００６年に含まれる日付を撮影日付とするイベントアイコンが、イベントアイコンＤＢ２４ａから抽出され、その抽出されたイベントアイコンの少なくとも一部（黒塗逆三角、白塗星形、黒塗円、音符、白塗三角、黒塗四角）が、ＬＣＤ４１の幅方向に「２００６年」と同一直線上に並んで表示される。尚、カーソル位置を別の年名に移動させることで、同様に、その選択した年名に含まれる日付を撮影日付とするイベントアイコンが、その選択した年名と同一直線上に並んで表示される。
【００５７】
このように表示させることで、各イベントアイコンは同じ目的で撮影された大量の画像を表現することができるので、複合機１に搭載される小さなＬＣＤ４１の表示領域であっても大量の画像に関する情報を表示させることができる。また、年名と、その年名に対応したイベントアイコンとは、ＬＣＤ４１の幅方向に同一直線上に並んで表示されるので、各年名と、イベントアイコンとを一見しただけで対応付けることが簡単にできる。
【００５８】
再び、図５に戻って説明を続ける。Ｓ８の処理において、「選択画面（年）」の表示を開始すると（Ｓ８）、年名と、各年名毎の画像の合計枚数とを表示し、更に、イベントアイコンＤＢに登録されているＹ年のイベントアイコンを抽出し、表示する（Ｓ９）。即ち、複数の年名のうち、最初は、Ｙ年のイベントアイコンだげが表示される。
【００５９】
そして、終了キー４０ｅが押下されたかを判断し（Ｓ１１）、終了キーが押下されていなければ（Ｓ１１：Ｎｏ）、選択キー４０ｄが押下されたかを判断し（Ｓ１２）、選択キーが押下されていなければ（Ｓ１２：Ｎｏ）、方向キー４０ｃが押下されたかを判断し（Ｓ１３）、方向キー４０ｃが押下されていれば（Ｓ１３：Ｙｅｓ）、その指示に従ってカーソルを移動し（Ｓ１４）、カーソル位置の年を日付メモリ２４ｂの変数Ｙに代入し（Ｓ１５）、Ｓ１０からの処理を繰り返す。こうして、ユーザーが所望する年のアイコンが表示される。
【００６０】
尚、Ｓ１１の処理において、終了キー４０ｅが押下されれば（Ｓ１１：Ｙｅｓ）、本処理を終了する。また、Ｓ１３の処理において、方向キー４０ｃが押下されていなければ（Ｓ１３：Ｎｏ）、Ｓ１４、Ｓ１５の処理をスキップして、Ｓ１０からの処理を繰り返す。
【００６１】
一方、選択キー４０ｄが押下された場合には（Ｓ１２：Ｙｅｓ）、その選択キー４０ｄを押下した際に設定されているＹ年の月単位の表示画面が要求されたとして、図６に示すＳ１６の処理に移行する。
【００６２】
図６は、図５に示すＳ１２の処理において、選択キー４０ｄが押下された場合に（Ｓ１２：Ｙｅｓ）、引き続き実行される処理を示すフローチャートである。この場合、まず、「選択画面（月）」の表示を開始する（Ｓ１６）。
【００６３】
ここで、図１１（ｂ）および図１１（ｃ）を参照して、「選択画面（月）」の表示例について説明する。この「選択画面（月）」は、先に表示した「選択画面（年）」で指定した年を月単位で表示した画面であり、図１１（ｂ）に示す「選択画面（月／イベントアイコン表示（年））」と、図１１（ｃ）に示す「選択画面（月／イベントアイコン表示（月）」との２種類が選択可能に構成されている。尚、この２種類の表示画面のいずれを表示させるかは、表示設定フラグ２４ｄによって設定されている。
【００６４】
図１１（ｂ）に示す「選択画面（月／イベントアイコン表示（年））」と、図１１（ｃ）に示す「選択画面（月／イベントアイコン表示（月）」とは、共に、図中左側に月名（例えば、８月、９月、１０月、１１月）が、ＬＣＤ４１の高さ方向（時間軸）に一列に並べて表示される。
【００６５】
また、この月名の列を挟むように上方スクロール矢印Ｕと、下方スクロール矢印Ｄとが表示される。上方スクロール矢印Ｕにカーソルを移動させ、選択キー４０ｄを押下すると、８月から順番に画面から外れ、下方から１２月から順番に表示される。反対に、下方スクロール矢印Ｄにカーソルを移動させ、選択キー４０ｄを押下すると、１１月から順番に画面から外れ、上方から７月から順番に表示される。
【００６６】
また、月名の列の隣には、各月名毎に対応させて、各月名に含まれる日付を撮影日付とする画像の合計枚数が表示される。この表示により、ユーザーは、各月名毎の合計枚数を一見して把握することができる。
【００６７】
更に、図１１（ｂ）に示す「選択画面（月／イベントアイコン表示（年））」については、表示されている月名列の中から所定の月名に、カーソル位置を移動させると、そのカーソル位置に示される月名に含まれる日付を撮影日付とするイベントアイコンが、その月名に対応させてＬＣＤ４１の幅方向に同一直線上に並んで表示される。
【００６８】
例えば、１０月にカーソル位置が移動すると、１０月に含まれる日付を撮影日付とするイベントアイコンの少なくとも一部（白塗星形、黒塗円、音符、白塗三角、黒塗四角）が、ＬＣＤ４１の幅方向に「１０月」と同一直線上に並んで表示される。
【００６９】
尚、カーソル位置を別の月名に移動させることで、同様に、その選択した月名に含まれる日付を撮影日付とするイベントアイコンが、その選択した月名と同一直線上に並んで表示される。
【００７０】
このように、月名と、その月名が示す期間に含まれる日付を撮影日付とするイベントアイコンとの表示のフォーマットは、図１１（ａ）に示すように、年名と、その年名が示す期間に含まれる日付を撮影日付とするイベントアイコンとの表示のフォーマットと同じであり、且つ、選択した年名と対応付けて表示されたイベントアイコンと同じイベントアイコンが、選択した年をなすそれぞれの月のいずれかと対応つけて表示されるので、年の選択、および、月の選択がし易く、操作し易いのである。
【００７１】
一方、図１１（ｃ）に示す「選択画面（月／イベントアイコン表示（月）」については、各月の合計枚数列の隣に、月名列で指定した月に対応したイベントアイコンだけが、その選択した月名とＬＣＤ４１と同一直線上にかぎらず、表示される。
【００７２】
例えば、１０月に含まれる日付を撮影日付とするイベントアイコンは、８月と同一直線状に（白塗星形、黒塗円、音符、白塗三角、黒塗四角、白塗円）が表示され、９月と同一直線状に（黒塗四角、二重丸、黒塗逆三角、黒塗三角、黒塗星形、音符）が表示される。
【００７３】
このように表示させることで、月名列で指定した月に含まれるイベントアイコンを、図１１（ｂ）に示す「選択画面（月／イベントアイコン表示（年））」よりも数多く表示することができる。このように、その月に含まれる全部のイベントアイコンは表示されなくてもいいので、一年間を構成するそれぞれの月のうち、複数の月に跨ってイベントアイコンを確認したい場合には前者（図１１（ｂ）参照）、一年間を構成する何れかの一つの月に、どんなイベントアイコンがあるかを全部確認した場合には後者（図１１（ｃ）参照）を選択することで、ユーザーの使用目的にあった表示をすることができる。
【００７４】
再び、図６に戻って説明を続ける。Ｓ１６の処理において、「選択画面（月）」の表示を開始すると（Ｓ１６）、現在の年と、日付メモリ２４ｂの変数Ｙが等しいかを判断し（Ｓ１７）、等しくなければ（Ｓ１７：Ｎｏ）、１月を変数Ｍに代入し（Ｓ１８）、等しければ（Ｓ１７：Ｙｅｓ）、現在の月を変数Ｍに代入する（Ｓ１９）。そして、Ｍ月にカーソル位置を初期化する（Ｓ２０）。
【００７５】
次に、イベントアイコンの表示設定が月単位か否かを、表示設定フラグ２４ｄの状態から判断し（Ｓ２１）、表示設定フラグが月単位でなければ（Ｓ２１：Ｎｏ）、イベントアイコンＤＢ内において、Ｙ年Ｍ月に登録されているイベントアイコンを表示する（Ｓ２２）。具体的には、図１１（ｃ）に示す「選択画面（月／イベントアイコン表示（月）」を表示する。
【００７６】
一方、Ｓ２１の判断において、表示設定が月単位であれば（Ｓ２１：Ｙｅｓ）、イベントアイコンＤＢでＹ年Ｍ月に登録されているイベントアイコンを表示する（Ｓ２３）。具体的には、図１１（ｃ）に示す「選択画面（月／イベントアイコン表示（月）」を表示する。
【００７７】
そして、終了キー４０ｅが押下されたかを判断し（Ｓ２４）、終了キーが押下されていなければ（Ｓ２４：Ｎｏ）、選択キー４０ｄが押下されたかを判断し（Ｓ２５）、選択キーが押下されていなければ（Ｓ２５：Ｎｏ）、方向キー４０ｃが押下されたかを判断し（Ｓ２６）、方向キー４０ｃが押下されていれば（Ｓ２６：Ｙｅｓ）、その指示に従ってカーソルを移動し（Ｓ２７）、カーソル位置の月を日付メモリ２４ｂの変数Ｍに代入し（Ｓ２８）、Ｓ２１からの処理を繰り返す。こうして、ユーザーが所望する年のアイコンが表示される。
【００７８】
尚、Ｓ２４の処理において、終了キー４０ｅが押下されれば（Ｓ２４：Ｙｅｓ）、上述した図５で示すＳ８からの処理に移行する。また、Ｓ２６の処理において、方向キー４０ｃが押下されていなければ（Ｓ２６：Ｎｏ）、Ｓ２７、Ｓ２８の処理をスキップして、Ｓ２１からの処理を繰り返す。
【００７９】
一方、選択キー４０ｄが押下された場合には（Ｓ２５：Ｙｅｓ）、その選択キー４０ｄを押下した際に設定されているＹ年Ｍ月の「選択画面（日）」が要求されたとして、図７に示すＳ２９の処理に移行する。
【００８０】
図７は、図６に示すＳ２５の処理において、選択キー４０ｅが押下された場合に（Ｓ２５：Ｙｅｓ）、引き続き実行される処理を示すフローチャートである。この場合、まず、「選択画面（日）」の表示を開始する（Ｓ１６）。
【００８１】
ここで、図１２（ａ）を参照して、「選択画面（日）」の表示例について説明する。図１２（ａ）は、「選択画面（日）」の表示例を示す図である。
【００８２】
図１２（ａ）に示す通り、「選択画面（日）」は、ＬＣＤ４１に表示され、図中左側に先に指定した年名の月単位のカレンダーＫが表示される。また、カレンダーＫの上段には年月名が表示されており（２００６／１０／）、その年名と月名とを挟んだ両側に、左方スクロール矢印Ｌと、右方スクロール矢印Ｒとが表示される。左方スクロール矢印Ｌにカーソルを移動させ、選択キー４０ｄを押下すると、２００６年１１月から順番に２００６年のカレンダーＫが表示され、反対に、右方スクロール欄Ｒにカーソルを移動させ、選択キー４０ｄを押下すると、２００６年９月から順番に２００６年のカレンダーＫが表示される。
【００８３】
また、カレンダーには、画像データが存在する日付が他の日付と異なる態様で表示される。例えば、２００６年１０月３日、１２日、１４日、２２日、２５日は、反転表示され、一見して画像データが存在する日付を把握することができる。
【００８４】
また、カレンダーＫの右側には、カレンダーＫに含まれる日付のなかから、カーソル位置を合わせた日付に関する各種情報が表示される。例えば、その選択した日付の画像枚数の合計、サムネイル画像、その日付を撮影日付とするイベントアイコンが表示される。よって、月単位の全部の日にちの中で、日にち名がそれぞれ示す撮影日付に対応する各種情報を、日にち単位で確認することができる。
【００８５】
再び、図７に戻って説明を続ける。Ｓ２９の処理において、「選択画面（日）」の表示を開始すると（Ｓ２９）、現在の年と、変数Ｙとが等しく、且つ、現在の月と変数Ｍとが等しいかを判断し（Ｓ３０）、等しくなければ（Ｓ３０：Ｎｏ）、１日を変数Ｄ日に代入する（Ｓ３１）。一方、等しければ（Ｓ３０：Ｙｅｓ）、現在の日を変数Ｄ日に代入する（Ｓ３２）。そして、Ｄ日にカーソル位置を初期化する（Ｓ３３）。
【００８６】
次に、撮影日がＹ年Ｍ月Ｄ日の画像があるかを判断する（Ｓ３４）、画像があれば（Ｓ３４：Ｙｅｓ）、Ｙ年Ｍ月Ｄ日のサムネイル画像を表示する（Ｓ３５）。画像なければ（Ｓ３４：Ｎｏ）、イベントアイコンＤＢのＹ年Ｍ月Ｄ日に登録されているイベントアイコンを表示する（Ｓ３６）。こうして、Ｙ年Ｍ月Ｄ日に関する各種情報が図１２（ａ）のように表示される。
【００８７】
そして、終了キー４０ｅが押下されたかを判断し（Ｓ３７）、終了キーが押下されていなければ（Ｓ３７：Ｎｏ）、選択キー４０ｄが押下されたかを判断し（Ｓ３８）、選択キーが押下されていなければ（Ｓ３８：Ｎｏ）、方向キー４０ｃが押下されたかを判断し（Ｓ３９）、方向キー４０ｃが押下されていれば（Ｓ３９：Ｙｅｓ）、その指示に従ってカーソルを移動し（Ｓ４０）、カーソル位置の日を日付メモリ２４ｂの変数Ｄに代入し（Ｓ４１）、Ｓ３４からの処理を繰り返す。
【００８８】
尚、Ｓ３７の処理において、終了キー４０ｅが押下されれば（Ｓ３７：Ｙｅｓ）、上述した図６で示すＳ１６からの処理に移行する。また、Ｓ３９の処理において、方向キー４０ｃが押下されていなければ（Ｓ３９：Ｎｏ）、Ｓ４０、Ｓ４１の処理をスキップして、Ｓ３４からの処理を繰り返す。
【００８９】
一方、選択キー４０ｄが押下された場合には（Ｓ３７：Ｙｅｓ）、その選択キー４０ｄを押下した際に設定されているＹ年Ｍ月Ｄ日を撮影日付とする画像の印刷が要求されたとして、図８に示すＳ４２の処理に移行する。
【００９０】
図８は、図７に示すＳ３８の処理において、選択キー４０ｅが押下された場合に（Ｓ３８：Ｙｅｓ）、引き続き実行される処理を示すフローチャートである。この場合、まず、「デジカメプリント画面」の表示を開始する（Ｓ４２）。
【００９１】
ここで、図１２（ｂ）を参照して、「デジカメプリント画面」の表示例について説明する。図１２（ｂ）は、「デジカメプリント画面」の表示例を示す図である。
【００９２】
図１２（ｂ）に示す通り、「デジカメプリント画面」は、ＬＣＤ４１に表示され、図中左側には画像を印刷するための印刷設定メニュー「ＸＸＸＸＸＸ」が複数段に表示される。この印刷設定メニューのいずれかに、カーソルを移動させ、選択キー４０ｄを押下すると、その選択した印刷設定メニューが実行される。
【００９３】
また、その印刷設定メニューの右側には、「イベントアイコン設定」欄が表示される。この「イベントアイコン設定」欄にカーソルを移動させ、選択キー４０ｄを押下すると、後述する「イベントアイコン選択画面」が表示されることになる。
【００９４】
再び、図８に戻って説明を続ける。Ｓ４２の処理において、「デジカメプリント画面」の表示を開始すると（Ｓ４２）、終了キー４０ｅが押下されたかを判断し（Ｓ４３）、終了キー４０ｅが押下されていなければ（Ｓ４３：Ｎｏ）、選択キー４０ｄが押下されたかを判断し（Ｓ４５）、選択キー４０ｄが押下されていなければ（Ｓ４５：Ｎｏ）、方向キー４０ｃが押下されたかを判断し（Ｓ４５）、方向キー４０ｃが押下されていれば（Ｓ４５：Ｙｅｓ）、その指示に従ってカーソルを移動し（Ｓ４６）、Ｓ４３からの処理を繰り返す。
【００９５】
尚、Ｓ３７の処理において、終了キーが押下されれば（Ｓ４３：Ｙｅｓ）、上述した図７で示すＳ２９からの処理に移行する。また、選択キー４０ｄが押下されれば（Ｓ４４：Ｙｅｓ）、カーソル位置が「イベントアイコン設定」かを判断し（Ｓ４７）、カーソル位置が「イベントアイコン設定」以外であれば（Ｓ４７：Ｎｏ）、そのカーソル位置が示す印刷設定メニューのうち「ＸＸＸＸＸ」を実行した後（Ｓ４８）、上述した図７で示すＳ２９からの処理に移行する。一方、Ｓ４７において、カーソル位置が「イベントアイコン設定」であれば（Ｓ４７：Ｙｅｓ）、図９に示すＳ４７の処理に移行する。
【００９６】
図９は、図８に示すＳ４７の処理において、「イベントアイコン設定」が要求された場合に（Ｓ４７：Ｙｅｓ）、引き続き実行される処理を示すフローチャートである。この場合、イベントアイコンＤＢに撮影日付Ｙ年Ｍ月Ｄ日が登録されているかを判断し（Ｓ４７Ａ）、登録されていれば（Ｓ４７Ａ：Ｙｅｓ）、イベントアイコンＤＢからＹ年Ｍ月Ｄ日のイベントアイコンを取得する（Ｓ４８）。一方、登録されていなければ（Ｓ４７Ａ：Ｎｏ）、撮影日付Ｙ年Ｍ月Ｄ日のイベントアイコンを全て「Ｆ」に初期化する（Ｓ４９）。そして、「イベントアイコン選択画面」の表示を開始する（Ｓ５０）。
【００９７】
ここで、図１２（ｃ）を参照して、「イベントアイコン設定画面」の表示例について説明する。図１２（ｃ）は、「イベントアイコン設定画面」の表示例を示す図である。図１２（ｃ）に示す通り、「イベントアイコン設定画面」は、ＬＣＤ４１に表示され、その上段右隅にはＹ年Ｍ月Ｄ日（２００６／１０／１２）という日付と、その下方に、そのＹ年Ｍ月Ｄ日を撮影日付とするサムネイル画像と、そのサムネイル画像の左側に各イベントアイコン毎のチェックボックスが表示される。
【００９８】
ユーザーは、登録したいイベントアイコンのチェックボックスにカーソル位置を移動させ、選択キー４０ｅを押下して、チェックボックスをＯＮ表示にすることで（図中×印参照）、そのイベントアイコンを登録することができる。
【００９９】
再び、図９に戻って説明を続ける。Ｓ５０の処理において、「イベントアイコン設定画面」の表示を開始すると（Ｓ５０）、Ｙ年Ｍ月Ｄ日を撮影日付とする画像のサムネイル画像を表示する（Ｓ５１）。
【０１００】
次、終了キー４０ｅが押下されたかを判断し（Ｓ５２）、終了キーが押下されていなければ（Ｓ５２：Ｎｏ）、選択キー４０ｄが押下されたかを判断し（Ｓ５３）、選択キー４０ｄが押下されていなければ（Ｓ５３：Ｎｏ）、方向キー４０ｃが押下されたかを判断し（Ｓ５４）、方向キー４０ｃが押下されていれば（Ｓ５４：Ｙｅｓ）、その指示に従ってカーソルを移動し（Ｓ５５）、Ｓ５２からの処理を繰り返す。
【０１０１】
また、Ｓ５３の処理において、選択キーが押下されれば（Ｓ５６：Ｙｅｓ）、カーソル位置のチェックボックスがＯＮ表示かを判断する（Ｓ５６）。その結果、ＯＮ表示でなければ（Ｓ５６：Ｎｏ）、選択したイベントアイコンを「Ｔ」に変更し（Ｓ５７）、カーソル位置のチェックボックスをＯＮ表示にし（Ｓ５８）、Ｓ５２からの処理を繰り返す。
【０１０２】
一方、Ｓ５６において、カーソル位置のチェックボックスがＯＮ表示であれば（Ｓ５６：Ｙｅｓ）、選択したイベントアイコンを「Ｆ」に変更し（Ｓ５９）、カーソル位置のチェックボックスをＯＦＦ表示にし（Ｓ６０）、Ｓ５２からの処理を繰り返す。
【０１０３】
そして、Ｓ５２の処理において、終了キーが押下されれば（Ｓ５２：Ｙｅｓ）、イベントアイコンＤＢに撮影日付Ｙ年Ｍ月Ｄ日が登録されているか判断する（Ｓ６１）、登録されていれば（Ｓ６１：Ｙｅｓ）、イベントアイコンＤＢのＹ年Ｍ月Ｄ日を更新し（Ｓ６２）、上述した図８のＳ４２の処理に移行する。一方、登録されていなければ（Ｓ６１：Ｎｏ）、イベントアイコンＤＢのＹ年Ｍ月Ｄ日を更新し（Ｓ６２）、図１０のＳ６１の処理に移行する。こうして、イベントアイコンを登録することができる。
【０１０４】
図１０は、図９に示すＳ６３の処理に引き続き実行される処理を示すフローチャートである。図９に示すＳ６３の処理において、イベントアイコンＤＢのＹ年Ｍ月Ｄ日を更新すると、未登録の撮影日付があるかを判断し（Ｓ６１）、未登録の撮影日付がなければ（Ｓ６１：Ｎｏ）、図５に示すＳ８の処理に移行する。
【０１０５】
一方、未登録の撮影日付があれば（Ｓ６１：Ｙｅｓ）、任意の未登録の撮影日付の年月日を日付メモリ２４ｂの変数Ｙ、変数Ｍ月、変数Ｄ日に代入する（Ｓ６２）。そして、Ｙ年Ｍ月Ｄ日にイベントアイコンの設定をするかをユーザーに確認する（Ｓ６３）。その結果、ユーザーが「イベントアイコン設定をする」を選択したかを判断し（Ｓ６５）、「イベントアイコン設定をする」を選択した場合には（Ｓ６５：Ｙｅｓ）、図９に示すＳ４７Ａの処理に移行する。一方、「イベントアイコン設定をする」を選択しなかった場合には（Ｓ６５：Ｎｏ）、イベントアイコンをＦで初期化した未登録の撮影日付を登録し（Ｓ６４）、Ｓ６１からの処理を繰り返す。
【０１０６】
以上、実施の形態に基づき本発明を説明したが、本発明は上述した実施の形態に何ら限定されるものではなく、本発明の趣旨を逸脱しない範囲内で種々の改良変更が可能であることは容易に推察できるものである。
【０１０７】
例えば、上記実施の形態では、年（一年）、月（一ヶ月）の単位で段階的に抽出範囲を絞る場合について説明したが、例えば、年（一年）単位に代えて、複数年単位、複数ヶ月単位、月（一ヶ月）単位に代えて、複数週間単位、複数日単位としても良い。
【図面の簡単な説明】
【０１０８】
【図１】複合機の外観斜視図である。
【図２】複合機の電気的構成を示すブロック図である。
【図３】イベントアイコンＤＢを模式的に示す図である。
【図４】メディアプリント処理のフローチャートの一部である。
【図５】メディアプリント処理のフローチャートの一部である。
【図６】メディアプリント処理のフローチャートの一部である。
【図７】メディアプリント処理のフローチャートの一部である。
【図８】メディアプリント処理のフローチャートの一部である。
【図９】メディアプリント処理のフローチャートの一部である。
【図１０】メディアプリント処理のフローチャートの一部である。
【図１１】表示画面例を示す図である。
【図１２】表示画面例を示す図である。
【符号の説明】
【０１０９】
１          複合機（印刷装置）
２２ａ      表示制御手段
２４ａ      イベントアイコンＤＢ（イベントアイコン記憶手段）
２４ｃ      アイコンメモリ（アイコン記憶手段）
４１        ＬＣＤ（表示手段）
Ｓ２        取得手段
Ｓ３        判断手段
Ｓ５        表示制御手段の一部
Ｓ１０      表示制御手段の一部
Ｓ２２      表示制御手段の一部  
Ｓ２３      表示制御手段の一部
Ｓ３６      表示制御手段の一部
【図１】
2008187693.tif 000003
【図２】
2008187693.tif 000004
【図３】
2008187693.tif 000005
【図４】
2008187693.tif 000006
【図５】
2008187693.tif 000007
【図６】
2008187693.tif 000008
【図７】
2008187693.tif 000009
【図８】
2008187693.tif 000010
【図９】
2008187693.tif 000011
【図１０】
2008187693.tif 000012
【図１１】
2008187693.tif 000013
【図１２】
2008187693.tif 000014